(57)【要約】      （修正有）【課題】仮想通貨を用いる実時間予測基盤の金融取引システムを提供する。【解決手段】サービスセンター２０は、使用者が商品取引を申請することにより、仮想通貨を構成する仮想通貨ブロックを保管するための口座アプリケーションを使用者端末１０に設置させ、中継サーバー２２から、商品取引の基準として用いられる取引種目の指数変動データを認証された機関から実時間で受信し、時間により指数が変動する多数の金融商品のいずれか一つを、使用者の選択により、取引種目と設定した後、取引種目の時間による指数変動に基づき、口座アプリケーションに保管された仮想通貨ブロックを差引きまたは増加させる商品取引を行う。【選択図】図１
2017073102.tif 000002
【特許請求の範囲】
【請求項１】
通信網を介して接続された使用者に、仮想通貨を用いる実時間予測基盤の金融取引サービスを提供するシステムにおいて、
仮想通貨を構成する仮想通貨ブロックを保管するための口座アプリケーションを有する使用者端末と、
使用者が商品取引を申請することにより、前記口座アプリケーションを前記使用者端末に設置させ、時間により指数が変動する多数の金融商品のいずれか一つを前記使用者の選択により、取引種目と設定した後、前記取引種目の時間による指数変動に基づき、前記口座アプリケーションに保管された仮想通貨ブロックを差引きまたは増加させる商品取引を行うサービスセンターと、
前記商品取引の基準として用いられる前記取引種目の指数変動データを認証された機関から実時間で受信する中継サーバーと、を備え、
前記サービスセンターは、
前記口座アプリケーションを使用者端末に設置するとき、１対の暗号化キーを生成し、前記商品取引の結果により、前記口座アプリケーションに保管された仮想通貨ブロックを差引きまたは増加させる第１のサーバーと、
前記口座アプリケーションに保管された仮想通貨ブロックの少なくとも一つを、前記商品取引の投資分と設定し、前記取引種目に対する指数変動方向の予測値を設定した状態で、前記商品取引を開始し、前記商品取引に対して既設定された終了時点において、前記取引種目の指数変動方向に対する予測成功の可否を決定する第２のサーバーと、を有し、
前記第１のサーバーは、
前記第２のサーバーにおいて決定される予測成功の可否により、前記口座アプリケーションに保管された仮想通貨ブロックから前記投資分だけ差し引き、または前記口座アプリケーションに保管された仮想通貨ブロックに前記投資分だけ増加させることを特徴とする仮想通貨を用いる実時間予測基盤の金融取引システム。
【請求項２】
前記第１のサーバーは、前記使用者端末に前記口座アプリケーションを設置するとともに、前記使用者端末に前記１対の暗号化キーの一方を個人キーとして保存し、前記１対の暗号化キーの他方を公開キーとして保存することを特徴とする請求項１に記載の仮想通貨を用いる実時間予測基盤の金融取引システム。
【請求項３】
前記第１のサーバーは、前記個人キーをハッシングしてユーザー識別子を生成し、前記生成されたユーザー識別子を前記使用者端末に保存することを特徴とする請求項２に記載の仮想通貨を用いる実時間予測基盤の金融取引システム。
【請求項４】
前記第２のサーバーは、前記使用者が前記使用者端末に保存された前記個人キーを用いる電子書名を通じて、前記商品取引の投資分を設定するとき、前記公開キーを用い、前記使用者に対する検証を予め行い、前記使用者に対する検証が成功したとき、前記投資分の資格を付与することを特徴とする請求項２に記載の仮想通貨を用いる実時間予測基盤の金融取引システム。
【請求項５】
前記第２のサーバーは、
前記使用者の選択により設定された前記予測値が、前記指数の上昇を予測した値であり、前記商品取引を開始する時点の前記取引種目に対する指数を基準として、前記終了時点において前記取引種目の指数が上昇した方向に変動した状態であれば、前記取引種目の指数変動方向に対して予測を成功したものと判断し、
前記使用者の選択により設定された前記予測値が、前記指数の下降を予測した値であり、前記商品取引を開始する時点の前記取引種目に対する指数を基準として、前記終了時点において前記取引種目の指数が下降した方向に変動した状態であれば、前記取引種目の指数変動方向に対して予測を成功したものと判断し、
前記使用者の選択により設定された前記予測値が、前記指数の上昇を予測した値であり、前記商品取引を開始する時点の前記取引種目に対する指数を基準として、前記終了時点において前記取引種目の指数が下降した方向に変動した状態であれば、前記取引種目の指数変動方向に対して予測を失敗したものと判断し、
前記使用者の選択により設定された前記予測値が、前記指数の下降を予測した値であり、前記商品取引を開始する時点の前記取引種目に対する指数を基準として、前記終了時点において前記取引種目の指数が上昇した方向に変動した状態であれば、前記取引種目の指数変動方向に対して予測を失敗したものと判断することを特徴とする請求項１に記載の仮想通貨を用いる実時間予測基盤の金融取引システム。
【請求項６】
前記第１のサーバーは、
前記取引種目の指数変動方向に対して予測を成功した場合、前記口座アプリケーションに保管された仮想通貨ブロックに前記投資分だけ増加させ、
前記取引種目の指数変動方向に対して予測を失敗した場合、前記口座アプリケーションに保管された仮想通貨ブロックから前記投資分だけ差し引くことを特徴とする請求項５に記載の仮想通貨を用いる実時間予測基盤の金融取引システム。
【請求項７】
前記第２のサーバーは、前記中継サーバーを介して実時間で受信される前記指数変動データを用い、前記商品取引の開始時点から前記終了時点まで、前記取引種目の指数変動状態を実時間で提供することを特徴とする請求項１に記載の仮想通貨を用いる実時間予測基盤の金融取引システム。
【請求項８】
前記口座アプリケーションに保管される仮想通貨ブロックは、前記商品取引の結果により差引きまたは増加される変動内訳を含むことを特徴とする請求項１に記載の仮想通貨を用いる実時間予測基盤の金融取引システム。
【請求項９】
前記仮想通貨ブロックは、ハッシュ関数値として、前記口座アプリケーションに保管され、以前の商品取引の結果によるハッシュ関数値を、現在の商品取引の結果による新たなハッシュ関数値に更新し、前記仮想通貨ブロックを差引きまたは増加させることを特徴とする請求項８に記載の仮想通貨を用いる実時間予測基盤の金融取引システム。
【請求項１０】
前記サービスセンターは、
前記商品取引をユーザーインターフェースから提供するためのユーザーアプリケーションを提供し、
前記ユーザーアプリケーションが前記使用者端末において実行されることによるユーザーインターフェースは、前記多数の金融商品のうち、前記取引種目の選択のための第１の領域と、前記商品取引の開始時点から前記終了時点まで、前記取引種目の指数変動状態を実時間で掲示する第２の領域と、前記投資分の設定と前記予測値の選択のための第３の領域と、前記取引内訳を掲示する第４の領域と、を含むことを特徴とする請求項１に記載の仮想通貨を用いる実時間予測基盤の金融取引システム。
【請求項１１】
前記第３の領域は、前記商品取引の開始のためのボタン領域を含み、前記終了時点において、前記取引種目の前記予測成功の可否を掲示することを特徴とする請求項９に記載の仮想通貨を用いる実時間予測基盤の金融取引システム。
【発明の詳細な説明】
【技術分野】
【０００１】
本発明は、新たな形態の金融取引モデルに関し、特に、暗号化キーに基づいて生成され、取引の匿名性が保障され、多様な形態の道具を通じて支給し、また取引可能な仮想通貨を用い、時間的・空間的制約なしに、容易かつ迅速に取引可能にする仮想通貨を用いる実時間予測基盤の金融取引システムに関する。
【背景技術】
【０００２】
最近、金融市場の沈滞期が続いている。すなわち、外国為替取引、株式、債券、及び先物のような金融商品が、ある程度のリスクを抱えているという特性のため、最近の国家的環境、社会的雰囲気、国際情勢等に影響され、収益を高めることも限界に達してしまった。
【０００３】
これにより、新たな形態の金融商品の登場が望まれている。このような要求の基本は、容易かつ迅速な取引が可能でなければならず、時間的・空間的制約のない取引が可能であり、他派生商品取引に比べて、取引方法が容易であり、さらに確実なリスクと収益を予想可能な、金融商品のモデルが要求されている。
【０００４】
一方、従来技術では、金融商品から創出された収益の使用が、金融商品を提供する環境や提携環境にのみ限られており、いつでもどこでも、汎用的に決済に用いられないという制限があった。
【０００５】
また、金融商品の取引において、保安の脆弱性のため、顧客の入出金取引内訳または預入情報等の顧客情報が流出または変質される危険に晒されている。
【発明の概要】
【発明が解決しようとする課題】
【０００６】
本発明は、上記問題点に鑑みなされたものであり、その目的は、取引の便宜性を支援するとともに、保安性を強化した仮想通貨を用いる実時間予測基盤の金融取引システムを提供することにある。
【０００７】
また、本発明の他の目的は、暗号化キーに基づいて生成され、取引の匿名性が保障され、多様な形態の道具を通じて支給し、または取引可能にする仮想通貨を用いる実時間予測基盤の金融取引システムを提供することにある。
【０００８】
また、本発明のまた他の目的は、金融商品から創出された収益を物理的環境の制約なしに、いつでもどこでも、汎用的に決済に用いられるようにする仮想通貨を用いる実時間予測基盤の金融取引システムを提供することにある。
【課題を解決するための手段】
【０００９】
上述した目的を達成するために、本発明による仮想通貨を用いる実時間予測基盤の金融取引システムは、通信網を介して接続された使用者に、仮想通貨を用いる実時間予測基盤の金融取引サービスを提供するシステムであって、仮想通貨を構成する仮想通貨ブロックを保管するための口座アプリケーションを有する使用者端末と、使用者が商品取引を申請することにより、前記口座アプリケーションを前記使用者端末に設置させ、時間により指数が変動する多数の金融商品のいずれか一つを、前記使用者の選択により、取引種目と設定した後、前記取引種目の時間による指数変動に基づき、前記口座アプリケーションに保管された仮想通貨ブロックを差引きまたは増加させる商品取引を行うサービスセンターと、前記商品取引の基準として用いられる前記取引種目の指数変動データを認証された機関から実時間で受信する中継サーバーと、を備え、
前記サービスセンターは、前記口座アプリケーションを使用者端末に設置するとき、１対の暗号化キーを生成し、前記商品取引の結果により、前記口座アプリケーションに保管された仮想通貨ブロックを差引きまたは増加させる第１のサーバーと、前記口座アプリケーションに保管された仮想通貨ブロックの少なくとも一つを、前記商品取引の投資分と設定し、前記取引種目に対する指数変動方向の予測値を設定した状態で、前記商品取引を開始し、前記商品取引に対して既設定された終了時点において、前記取引種目の指数変動方向に対する予測成功の可否を決定する第２のサーバーと、を有し、
前記第１のサーバーは、前記第２のサーバーにおいて決定される予測成功の可否により、前記口座アプリケーションに保管された仮想通貨ブロックから前記投資分だけ差し引き、または前記口座アプリケーションに保管された仮想通貨ブロックに前記投資分だけ増加させることを特徴とする。
【発明の効果】
【００１０】
本発明によれば、暗号化キーに基づいて生成され、取引の匿名性が保障され、多様な形態の道具を通じて支給し、または取引可能な仮想通貨を用い、金融商品から創出された収益（仮想通貨）を物理的環境の制約なしに、いつでもどこでも、汎用的に決済に用いることができるので、取引の便宜性を支援するとともに、保安性を強化した金融取引を提供することができる。
【００１１】
また、他派生商品取引に比べて、取引方法が容易であり、取引時、時間的・空間的制約がなく、また、確実なリスクと収益の予測が可能な高収益を保障することができる。
【図面の簡単な説明】
【００１２】
【図１】図１は、本発明による仮想通貨を用いる実時間予測基盤の金融取引システムの全体構成を示すブロックダイアグラムである。
【図２】図２は、本発明による仮想通貨を用いる実時間予測基盤の金融取引システムにおけるユーザーインターフェースの構成を示すダイアグラムである。
【図３】図３は、本発明による仮想通貨を用いる実時間予測基盤の金融取引システムにおけるユーザーインターフェースの構成を示すダイアグラムである。
【図４】図４は、本発明による仮想通貨を用いる実時間予測基盤の金融取引システムにおけるユーザーインターフェースの構成を示すダイアグラムである。
【図５】図５は、本発明による仮想通貨を用いる実時間予測基盤の金融取引手続きを説明するためのフローチャートである。
【発明を実施するための形態】
【００１３】
本発明の他の目的、特徴、及び利点は、添付した図面を参照した実施例の詳細な説明から明らかになるだろう。
【００１４】
以下、添付した図面を参照して、本発明による実施例の構成と、その作用について説明し、図示され、またこれにより説明される本発明の構成と作用は、少なくとも一つの実施例として説明されるものであり、これにより、上記した本発明の技術的思想と、その核心構成、及び作用が制限されるものではない。
【００１５】
以下、添付した図面を参照して、本発明による仮想通貨を用いる実時間予測基盤の金融取引システムの好適な実施例について詳述する。
【００１６】
本発明の説明における「設定」の動作は、システムにおいて使用者の選択や入力により定められる過程を意味する。
【００１７】
また、本発明におけるサービスセンターは、通信網を介して接続された使用者に、仮想通貨を用いる実時間予測基盤の金融取引サービスを提供する一つのサーバーであってもよく、サービスセンターを構成する多数のサーバーは、指定された機能を行うためにサーバーを構成するエンジンとして理解されてもよい。特に、通信網を介してサービスセンターに接続する使用者は、サービスセンターからサービスを提供されるために加入された使用者端末と理解されてもよい。
【００１８】
図１は、本発明による仮想通貨を用いる実時間予測基盤の金融取引システムの全体構成を示すブロックダイアグラムである。
【００１９】
図１の構成において、サービスセンター２０と実時間でデータを交換する金融機関サーバー３０は、金融取引により多様に変更可能である。また、金融機関サーバー３０は、金融取引のために認証された機関のサーバーであることが好ましい。
【００２０】
図１に示すように、本発明のシステムは、使用者端末１０と、サービスセンター２０と、金融機関サーバー３０と、から構成される。
【００２１】
使用者端末１０は、サービスセンター２０から提供する予測取引のためのユーザーアプリケーションを有し、そのユーザーアプリケーションは、図２乃至図４に示すように、多数の金融商品の掲示、取引種目の選択、商品取引経過の確認、使用者勘定口座の管理、商品取引及び決済内訳の管理、また入金及び出金の管理等のためのユーザーインターフェースを提供する。
【００２２】
使用者端末１０は、仮想通貨を保管するための口座アプリケーションを有する。ここで、仮想通貨は、多数の仮想通貨ブロックから構成され、多数の仮想通貨ブロックの合計が一つの仮想通貨に当該する。また、仮想通貨ブロックの財貨価値は、後述する暗号化キー値により定義される。
【００２３】
サービスセンター２０は、データベース２１、中継サーバー２２、データベースサーバー２３、トレーダーサーバー２４、また取引管理サーバー２５から構成される。
【００２４】
サービスセンター２０は、商品取引を申請した使用者の口座アプリケーションを使用者端末１０に設置し、商品取引の結果に基づき、その口座アプリケーションに保管される仮想通貨ブロックの財貨価値を更新する。
【００２５】
より詳しくは、サービスセンター２０は、使用者が商品取引を申請することにより、口座アプリケーションを使用者端末１０に設置する。
【００２６】
経時により指数が変動する多数の金融商品のいずれか一つが使用者により選択されることにより、サービスセンター２０は、その選択された金融商品を取引種目と設定する。以降、サービスセンター２０は、取引種目の経時による指数変動に基づき、口座アプリケーションに保管された仮想通貨ブロックを差引きまたは増加させる商品取引を実施する。
【００２７】
サービスセンター２０は、商品取引をユーザーインターフェースを介して支援するためのユーザーアプリケーションを提供する。そのユーザーアプリケーションは、使用者がサービスセンター２０に加入されたとき、使用者端末１０にダウンロードされ、使用者端末１０に設置され、商品取引のためのユーザーインターフェースを提供する。
【００２８】
ユーザーアプリケーションは、使用者端末１０において実行されることにより、多数の金融商品を掲示し、多数の金融商品のうち、取引種目を選択するための第１の領域（以下、取引対象選択領域）４０と、商品取引の開始時点から終了時点までの取引種目の指数変動状態を、実時間で掲示する第２の領域（以下、指数変動提供領域）５０と、取引種目に対する投資分の入力と、取引種目に対する予測値を選択するための第３の領域（以下、投資分選択及び指数予測領域）６０と、商品取引による取引内訳及び決済内訳を掲示する第４の領域（以下、使用者内訳提供領域）７０と、を含む。前記投資分選択及び指数予測領域６０は、商品取引の開始のためのボタン領域を含み、商品取引の終了時点において、取引種目の予測成功の可否を掲示することができる。
【００２９】
サービスセンター２０は、金融取引のためのサービスを、使用者端末１０のユーザーインターフェースから提供され、実時間予測に基づいて取り引きされる金融商品として、株式、外国為替取引、先物、債券、金や銀のような財貨代替資源等を掲示する。特に、サービスセンター２０は、経時により指数が変動する多数の金融商品の商品取引を提供する。
【００３０】
中継サーバー２２は、金融機関サーバー３０と連携し、実時間で各金融商品の指数変動データを受信する。中継サーバー２２は、サービスセンター２０の商品取引において、基準として用いられる取引種目の指数変動データを、認証された機関のサーバーである金融機関サーバー３０から実時間で受信する。このような中継サーバー２２は、サービスセンター２０の構成要素として具現され、または、中継サーバー２２は、サービスセンター２０と独立して構成され、そのサービスセンター２０と通信網を介して連結されてもよい。
【００３１】
サービスセンター２０は、経時により指数が変動する多数の金融商品のいずれか一つを取引種目と設定し、前記取引種目の経時による指数変動に基づき、口座アプリケーションに保管された仮想通貨ブロックを差引きまたは増加させる商品取引を行い、前記商品取引による取引内訳を記録する。
【００３２】
このため、サービスセンター２０は、口座アプリケーションを使用者端末１０に設置させ、また、口座アプリケーションに保管される仮想通貨ブロックを更新して差引きまたは増加させる第１のサーバー（以下、取引管理サーバー）２５と、前記口座アプリケーションに保管された仮想通貨ブロックの少なくとも一つを商品取引の投資分と設定し、当該商品取引を行う第２のサーバー（以下、トレーダーサーバー）２４と、前記商品取引の結果による前記仮想通貨ブロックの変動内訳を含む取引内訳を、データベース２１に保存して管理する第３のサーバー（以下、データベースサーバー）２３と、から構成される。
【００３３】
取引管理サーバー２５は、口座アプリケーションを生成し、使用者端末１０に設置させる。これにより、使用者により購入した仮想通貨ブロックが、その口座アプリケーションに保管される。ここで、仮想通貨ブロックを口座アプリケーションに保管する方式は、口座アプリケーションを生成及び設置するとき、１対の暗号化キーをさらに生成し、使用者端末１０に提供する。使用者端末１０は、口座アプリケーションと連動する１対の暗号化キーを保存する。より好ましくは、取引管理サーバー２５は、使用者端末１０に口座アプリケーションを設置させるとともに、その使用者端末１０に１対の暗号化キーを保存させる。取引管理サーバー２５が生成する１対の暗号化キーは、使用者端末１０に設置された口座アプリケーションにより更新され、仮想通貨の財貨価値を仮想通貨ブロック単位に変更する手段として用いられる。
【００３４】
取引管理サーバー２５は、１対の暗号化キーのいずれか一方を使用者端末１０に個人キーとして保存し、他方を公開キーとして保存する。
【００３５】
また、取引管理サーバー２５は、個人キーをハッシングし、ユーザー識別子を生成し、その生成されたユーザー識別子を使用者端末１０に保存する。ここで、ユーザー識別子は、口座アプリケーションを設置するときに１回生成し、トレーダーサーバー２４による商品取引時毎に再使用されてもよい。または、取引管理サーバー２５は、トレーダーサーバー２４による商品取引が実施されるとき毎に、新たなユーザー識別子を生成し、使用者端末１０に保存させてもよい。
【００３６】
若し、上述した商品取引以外に、口座アプリケーションに保管された仮想通貨ブロックに対する出金または決済が要請されると、サービスセンター２０は、ユーザーが予め登録した識別子のアドレス（Ｒｅｃｅｉｖｉｎｇ  Ａｄｄｒｅｓｓ）、または使用者が提供する識別子のアドレスに、要請された仮想通貨ブロックを伝送させてもよい。出金または決済以降は、使用者端末１０の口座アプリケーションに保管された仮想通貨ブロックを差し引く。ここで、仮想通貨ブロックの伝送は、振替の概念として理解されてもよい。
【００３７】
取引管理サーバー２５が生成させた１対の暗号化キーは、口座アプリケーションに保管される仮想通貨ブロックの量を示し、これにより、口座アプリケーションにおいて暗号化キーが更新されるとともに、仮想通貨ブロックの財貨価値が変更される。
【００３８】
口座アプリケーションに保管される仮想通貨ブロックは、トレーダーサーバー２４による商品取引の結果により、差引きまたは増加される変動内訳を含んでもよいが、これは、１対の暗号化キーが、その変動内訳を定義するものと理解されてもよい。
【００３９】
仮想通貨ブロックは、ハッシュ関数値として口座アプリケーションに保管され、ハッシュ関数値が更新されながら、仮想通貨ブロックの財貨価値が変動される。詳しくは、以前の商品取引の結果によるハッシュ関数値を現在の商品取引の結果による新たなハッシュ関数値に更新し、仮想通貨ブロックを差引きまたは増加させる。
【００４０】
トレーダーサーバー２４は、使用者端末１０に、上述した多数の領域を含むユーザーインターフェースを提供し、そのユーザーインターフェースを介してサービス可能な金融商品のいずれか一つに対して商品取引を行う。
【００４１】
トレーダーサーバー２４は、口座アプリケーションに保管された仮想通貨ブロックの少なくとも一つを、商品取引の投資分と設定する。投資分の設定は、使用者の選択によるものである。次いで、トレーダーサーバー２４は、使用者の入力及び選択により、取引種目に対する指数変動方向の予測値を設定した状態で商品取引を開始し、前記商品取引に対して、既設定された終了時点において、前記取引種目の指数変動方向に対する予測成功の可否を決定する。
【００４２】
トレーダーサーバー２４で決定された取引種目の指数変動方向に対する予測成功の可否に基づき、取引管理サーバー２５は、口座アプリケーションに保管された仮想通貨ブロックを更新する。仮想通貨ブロックの更新を通じて、商品取引による投資分に当該する価値だけ、仮想通貨ブロックを差引きまたは増加させる。
【００４３】
トレーダーサーバー２４は、使用者端末１０に保存された個人キーを用い、使用者が電子署名したときに投資分を設定する。このとき、トレーダーサーバー２４は、公開キーを用い、電子署名した使用者に対する検証を行う。トレーダーサーバー２４は、使用者に対する検証が成功したときに投資分の資格を付与する。すなわち、トレーダーサーバー２４は、電子署名を通じて、使用者に対する検証を行い、その検証が成功したとき、商品取引のために設定された投資分の資格を付与し、商品取引の有効な投資分と設定する。
【００４４】
トレーダーサーバー２４は、金融商品の取引を実時間で進行する構成であり、一つの収益性を保障し、経時により指数が変動する多数の金融商品に対する商品取引を提供する。トレーダーサーバー２４は、取引対象選択領域４０から選択された特定の取引種目に対して、一定の時点を基準として、定められた時間が経過したとき、その選択された取引種目の指数の上昇または下降の有無を予測した結果を提供する。
【００４５】
トレーダーサーバー２４は、下記に述べる基準により、当該選択された取引種目の指数変動方向に対して予測成功の可否を決定する。
【００４６】
第一、投資分選択及び指数予測領域６０を通じた使用者の選択により設定された前記予測値が、選択された取引種目の指数上昇を予測した値であり、商品取引を開始する時点の取引種目に対する指数を基準として、終了時点において取引種目の指数が上昇した方向に変動した状態であれば、当該取引種目の指数変動方向に対して予測を成功したものと決定する。
【００４７】
第二、投資分選択及び指数予測領域６０を通じた使用者の選択により設定された前記予測値が、選択された取引種目の指数下降を予測した値であり、商品取引を開始する時点の取引種目に対する指数を基準として、終了時点において取引種目の指数が下降した方向に変動した状態であれば、当該取引種目の指数変動方向に対して予測を成功したものと決定する。
【００４８】
第三、投資分選択及び指数予測領域６０を通じた使用者の選択により設定された前記予測値が、選択された取引種目の指数上昇を予測した値であり、商品取引を開始する時点の取引種目に対する指数を基準として、終了時点において取引種目の指数が下降した方向に変動した状態であれば、当該取引種目の指数変動方向に対して予測を失敗したものと決定する。
【００４９】
第四、投資分選択及び指数予測領域６０を通じた使用者の選択により設定された前記予測値が、選択された取引種目の指数下降を予測した値であり、商品取引を開始する時点の取引種目に対する指数を基準として、終了時点において取引種目の指数が上昇した方向に変動した状態であれば、当該取引種目の指数変動方向に対して予測を失敗したものと決定する。
【００５０】
トレーダーサーバー２４が、取引種目の指数変動方向に対して予測を成功したものと決定すると、取引管理サーバー２５は、使用者端末１０に保存された暗号化キー（個人キー）値を更新し、口座アプリケーションに保管された仮想通貨ブロックを、入力された投資分だけ増加させる。これに対して、取引種目の指数変動方向に対して予測を失敗したものと決定すると、取引管理サーバー２５は、使用者端末１０に保存された暗号化キー（個人キー）値を更新し、口座アプリケーションに保管された仮想通貨ブロックを入力された投資分だけ差し引く。
【００５１】
トレーダーサーバー２４において、前記商品取引の開始時点の前記取引種目に対する指数と、前記終了時点における前記取引種目の指数とが同一である場合、すなわち、取引種目の指数変動方向に対する予測が成功でも、失敗でもなく、引き分けになった（ｄｒａｗ）と決定されると、取引管理サーバー２５は、口座アプリケーションに保管された仮想通貨ブロックの価値をそのまま維持させる。すなわち、仮想通貨ブロックの価値を定義する暗号化キー値を更新しない。
【００５２】
一方、トレーダーサーバー２４は、指数変動提供領域５０を通じて、現在取引中の取引種目の指数変動状態を実時間で掲示する。すなわち、トレーダーサーバー２４は、中継サーバー２５を介して実時間で受信される指数変動データを用い、商品取引の開始時点から終了時点までの当該取引種目の指数変動状態を実時間で提供する。
【００５３】
このように、本発明によるシステムは、商品取引申請により設置された口座アプリケーションに仮想通貨ブロックを保管させ、その仮想通貨ブロックの財貨価値の一部を投資分として許容しながら、現在、存在する金融商品の指数の変動を基準として、その指数の実時間基盤予測を通じて、収益を提供するシステムである。
【００５４】
データベースサーバー２３は、トレーダーサーバー２４を通じて行われた商品取引の結果により、取引管理サーバー２５を通じて更新される使用者別の仮想通貨ブロックの変動内訳と、口座アプリケーションの仮想通貨ブロックを用いた決済による使用者別の仮想通貨ブロックの変動内訳とを更新し、使用者別の商品取引内訳及び決済内訳を保存して管理する。また、データベースサーバー２３は、中継サーバー２２を介して受信された実時間指数データを保存しながら、実時間でアップデートし、使用者端末１０を介してアクセスする使用者の勘定口座を保存する。
【００５５】
図２乃至図４は、本発明による仮想通貨を用いる実時間予測基盤の金融取引システムにおけるユーザーインターフェースの構成を示すダイアグラムであって、サービスセンター２０は、サービスに加入された使用者の専用端末、すなわち、使用者端末１０に、図２乃至図４に示したユーザーインターフェースを提供するユーザーアプリケーションをダウンロードして設置させる。
【００５６】
サービスセンター２０は、そのユーザーアプリケーションの実行後、当該使用者の加入情報を用いて認証されると、図２乃至図４のユーザーインターフェースを介して商品取引及び情報管理を支援する。
【００５７】
本発明によるシステムを通じて取引可能な金融商品としては、小麦、砂糖、トウモロコシ、コーヒー、原油、白金、銀、金等のような財貨代替商品を含み、各国別の金融指数や各企業別の株式指数（指数）を含み、通用する貨幣の為替相場（外国為替）を含む。
【００５８】
ユーザーインターフェースは、使用者が上記に述べた多数の商品のいずれか一つを取引種目として選択し、取引を進行するように、取引対象選択領域４０を有する。
【００５９】
ユーザーインターフェースは、取引対象選択領域４０を通じて選択した取引種目の実時間指数変動状況を提供する指数変動提供領域５０を有する。指数変動提供領域５０から提供される実時間指数変動状況は、金融機関サーバー３０から提供される指数変動データに基づく。ここで、指数変動提供領域５０は、選択した取引種目が、現時点においてどんな方向に、すなわち、上昇方向または下降方向に変動するかを掲示することができ、特に、当該取引種目に対する取引終了時点において、予測成功の可否を成功（ｗｉｎ）、失敗（ｌｏｓｔ）、または引分け（ｄｒａｗ）として掲示することもできる。
【００６０】
ユーザーインターフェースは、選択した取引種目の実時間指数変動状況を基準とするとともに、指定された時間に上昇（ＵＰ）または下降（ＤＯＷＮ）の予測値を選択し、また、商品取引の投資分を入力するための投資分選択及び指数予測領域６０を有する。ここで、（ＵＰ）または下降（ＤＯＷＮ）の予測値を選択することにより、取引対象選択領域４０を通じて選択された取引種目に対する商品取引が開始される。
【００６１】
ユーザーインターフェースにおいて、使用者内訳提供領域７０は、サービスセンター２０から商品取引をサービスされる使用者と、多数の他使用者に対する収益順位と、サービスセンター２０から商品取引をサービスされる全ての使用者に対する収益順位と、取引及び決済内訳とを掲示する。
【００６２】
使用者内訳提供領域７０を通じて掲示される項目は、使用者の個人情報、収益順位（ｏｒｄｅｒ）、取引商品（ｐｒｏｄｕｃｔ）、選択した予測値（ＵＰまたはＤＯＷＮ）、時間等を含む取引情報、また商品取引の結果による仮想通貨ブロックの変更状態を含んでもよい。また、口座アプリケーションの仮想通貨ブロックを用いた決済処理の結果、すなわち、決済日時、識別子（Ｔｒａｎｓａｃｔｉｏｎ  ＩＤ）、識別子のアドレス（Ｒｅｃｅｉｖｉｎｇ  Ａｄｄｒｅｓｓ）、決済結果（Ｓｔａｔｕｓ）を含む決済情報を含んでもよい。
【００６３】
ユーザーインターフェースの使用者内訳提供領域７０は、使用者別勘定口座の管理、収益の累積、及び出金内訳、また商品取引内訳と決済内訳を管理し、情報を掲示することができる。
【００６４】
本発明のシステムは、図２に示した取引対象選択領域４０において、多数の商品のいずれか一つが取引種目として選択されることにより、その選択された取引種目を商品取引対象と設定する。ここで、掲示される多数の金融商品は、経時により指数が変動し、各金融商品に対する指数変動は、認証された機関から実時間で処理されることが好ましい。
【００６５】
本発明のシステムは、取引種目に対する投資分が、投資分選択及び指数予測領域６０の記入欄６１から入力されることにより、その入力された投資分を設定する。ここで、投資分が有効な資格を獲得するために、使用者の電子署名を通じた検証を経る。
【００６６】
また、本発明のシステムは、図２に示した投資分選択及び指数予測領域６０において、商品取引の開始時点に上昇（ＵＰ）または下降（ＤＯＷＮ）を選択するためのコントロールボタン６２、６３を通じて指数方向が選択されることにより、その選択された指数方向を商品取引時の予測値と設定し、当該取引種目に対する商品取引を開始する。このとき、投資分選択及び指数予測領域６０は、開始時点に当該取引種目の現在指数を掲示し、指数変動提供領域５０は、開始時点から終了時点までの経時による変動状態を掲示する。
【００６７】
本発明のシステムにおいて、取引種目に対する商品取引が開始されることにより、指数変動提供領域５０は、取引種目の開始時間、終了時間と、開始時点での指数、現時点での指数を掲示する。また、商品取引の終了時点において、指数方向予測に対する成功の可否を、成功（ｗｉｎ）、失敗（ｌｏｓｔ）、引分け（ｄｒａｗ）として掲示することができる。
【００６８】
前記指数変動提供領域５０を通じて商品取引の成功可否が掲示されると、当該商品取引を終了する。
【００６９】
使用者内訳提供領域７０は、現在、口座アプリケーションに保管された仮想通貨ブロックに対する多様な内訳を掲示する。
【００７０】
また、使用者内訳提供領域７０を通じて、仮想通貨ブロックに対する使用者の出金または決済要請と、それによる処理を進行する。すなわち、使用者内訳提供領域７０において、使用者の出金額または決済額が入力されることにより、システムは、その出金額または決済額に相応して仮想通貨ブロックを更新し、その価値を差し引く。また、当該出金額が使用者の登録口座に振り替えられてもよい。
【００７１】
また、使用者内訳提供領域７０において、使用者の入金要請と、それによる処理を進行してもよい。
【００７２】
本発明のシステムは、使用者内訳提供領域７０において、特定期間の間、処理された使用者別の商品取引内訳が要請されることにより、使用者内訳提供領域７０を通じて当該商品取引内訳を掲示する。商品取引内訳は、各商品取引別の投資分、取引種目、使用者により予測された指数方向、商品取引日付及び期間、商品取引の開始時点の指数、商品取引の終了時点の指数、仮想通貨ブロックの出金や決済内訳等が含まれる。
【００７３】
図５は、本発明による仮想通貨を用いる実時間予測基盤の金融取引手続きを説明するためのフローチャートであって、トレーダーサーバー２４と取引管理サーバー２５により行われる金融取引及び支給手続きを示すものである。
【００７４】
図５を参照すると、トレーダーサーバー２４は、経時により指数が変動する多数の金融商品のいずれか一つを取引種目と設定し、口座アプリケーションの仮想通貨ブロックを用い、取引種目の投資分を設定する（Ｓ１００）。ここで、取引種目設定及び投資分設定は、使用者の選択及び入力により行われ、投資分の有効性を検証するための使用者の電子署名を行う。
【００７５】
次いで、トレーダーサーバー２４は、設定された取引種目に対する指数変更方向の予測値を設定する（Ｓ１１０）。このとき、予測値は、使用者により設定された取引種目の指数上昇または下降のいずれか一つを選択した結果により設定される。
【００７６】
次いで、トレーダーサーバー２４は、使用者の選択及び入力により、取引種目に対する指数変動方向の予測値を設定した状態で、商品取引を開始し（Ｓ１２０）、商品取引の開始時点から終了時点まデータイマーをカウントする（Ｓ１３０）。ここで、開始時点から終了時点までの取引期間は、秒単位、分単位、時単位等、多様に設定してもよい。例えば、前記取引期間が６０秒と設定された場合、タイマーは、６０秒後に終了し、これにより商品取引が終了する。
【００７７】
次いで、トレーダーサーバー２４は、取引期間の終了時点に設定された取引種目に対する指数変動をチェックする（Ｓ１４０）。ここで、指数変動のチェックは、取引種目の開始時点での指数を基準として、前記終了時点において指数が上昇または下降するかをチェックする。
【００７８】
次いで、トレーダーサーバー２４は、指数変動チェックの結果に基づき、既設定された指数変動に対する予測の成功可否を確認する（Ｓ１５０）。指数変動予測に対する成功可否の決定については上述したので、これについての詳細を省略する。
【００７９】
次いで、トレーダーサーバー２４において予測成功の可否が決定されることにより、取引管理サーバー２５は、仮想通貨ブロックの増加のための暗号化キーを更新し、または予測失敗による仮想通貨ブロックの差引きのための暗号化キーを更新する（Ｓ１６０、Ｓ１７０）。すなわち、予測成功時は、仮想通貨ブロックを投資分だけ増加させ、予測失敗時は、仮想通貨ブロックから投資分だけを差し引く。
【００８０】
以上、本発明の好適な実施例について説明したが、本発明の属する技術の分野における通常の知識を有する者であれば、本発明の本質的な特性を逸脱しない範囲内において変形された形態に具現され得る。
【００８１】
このため、ここで説明した本発明の実施例は、限定的な観点ではなく、説明的な観点で考慮されなければならず、本発明の範囲は、上述した説明ではなく、特許請求の範囲に開示されており、それと同等の範囲内における全ての差異は、本発明に含まれるものと解釈されなければならない。
【符号の説明】
【００８２】
１０    使用者端末
２０    サービスセンター
２１    データベース
２２    中継サーバー
２３    データベースサーバー
２４    トレーダーサーバー
２５    取引管理サーバー
３０    金融機関サーバー
【図１】
2017073102.tif 000003
【図２】
2017073102.tif 000004
【図３】
2017073102.tif 000005
【図４】
2017073102.tif 000006
【図５】
2017073102.tif 000007
【手続補正書】
【提出日】平成27年12月1日(2015.12.1)
【手続補正１】
【補正対象書類名】明細書
【補正対象項目名】全文
【補正方法】変更
【補正の内容】
【発明の詳細な説明】
【技術分野】
【０００１】
本発明は、新たな形態の金融取引モデルに関し、特に、暗号化キーに基づいて生成され、取引の匿名性が保障され、多様な形態の道具を通じて支給し、また取引可能な仮想通貨を用い、時間的・空間的制約なしに、容易かつ迅速に取引可能にする仮想通貨を用いる実時間予測基盤の金融取引システムに関する。
【背景技術】
【０００２】
最近、金融市場の沈滞期が続いている。すなわち、外国為替取引、株式、債券、及び先物のような金融商品が、ある程度のリスクを抱えているという特性のため、最近の国家的環境、社会的雰囲気、国際情勢等に影響され、収益を高めることも限界に達してしまった。
【０００３】
これにより、新たな形態の金融商品の登場が望まれている。このような要求の基本は、容易かつ迅速な取引が可能でなければならず、時間的・空間的制約のない取引が可能であり、他派生商品取引に比べて、取引方法が容易であり、さらに確実なリスクと収益を予想可能な、金融商品のモデルが要求されている。
【０００４】
一方、従来技術では、金融商品から創出された収益の使用が、金融商品を提供する環境や提携環境にのみ限られており、いつでもどこでも、汎用的に決済に用いられないという制限があった。
【０００５】
また、金融商品の取引において、保安の脆弱性のため、顧客の入出金取引内訳または預入情報等の顧客情報が流出または変質される危険に晒されている。
【発明の概要】
【発明が解決しようとする課題】
【０００６】
本発明は、上記問題点に鑑みなされたものであり、その目的は、取引の便宜性を支援するとともに、保安性を強化した仮想通貨を用いる実時間予測基盤の金融取引システムを提供することにある。
【０００７】
また、本発明の他の目的は、暗号化キーに基づいて生成され、取引の匿名性が保障され、多様な形態の道具を通じて支給し、または取引可能にする仮想通貨を用いる実時間予測基盤の金融取引システムを提供することにある。
【０００８】
また、本発明のまた他の目的は、金融商品から創出された収益を物理的環境の制約なしに、いつでもどこでも、汎用的に決済に用いられるようにする仮想通貨を用いる実時間予測基盤の金融取引システムを提供することにある。
【課題を解決するための手段】
【０００９】
上述した目的を達成するために、本発明による仮想通貨を用いる実時間予測基盤の金融取引システムは、通信網を介して接続された使用者に、仮想通貨を用いる実時間予測基盤の金融取引サービスを提供するシステムであって、仮想通貨を構成する仮想通貨ブロックを保管するための口座アプリケーションを有する使用者端末と、使用者が商品取引を申請することにより、前記口座アプリケーションを前記使用者端末に設置させ、時間により指数が変動する多数の金融商品のいずれか一つを、前記使用者の選択により、取引種目と設定した後、前記取引種目の時間による指数変動に基づき、前記口座アプリケーションに保管された仮想通貨ブロックを差引きまたは増加させる商品取引を行うサービスセンターと、前記商品取引の基準として用いられる前記取引種目の指数変動データを認証済の機関から実時間で受信する中継サーバーと、を備え、
前記サービスセンターは、前記口座アプリケーションを使用者端末に設置するとき、１対の暗号化キーを生成し、前記商品取引の結果により、前記口座アプリケーションに保管された仮想通貨ブロックを差引きまたは増加させる第１のサーバーと、前記口座アプリケーションに保管された仮想通貨ブロックの少なくとも一つを、前記商品取引の投資分と設定し、前記取引種目に対する指数変動方向の予測値を設定した状態で、前記商品取引を開始し、前記商品取引に対して既設定された終了時点において、前記取引種目の指数変動方向に対する予測成功の可否を決定する第２のサーバーと、を有し、
前記第１のサーバーは、前記第２のサーバーにおいて決定される予測成功の可否により、前記口座アプリケーションに保管された仮想通貨ブロックから前記投資分だけ差し引くか、または前記口座アプリケーションに保管された仮想通貨ブロックに前記投資分だけ増加させることを特徴とする。
【発明の効果】
【００１０】
本発明によれば、暗号化キーに基づいて生成され、取引の匿名性が保障され、多様な形態の道具を通じて支給し、または取引可能な仮想通貨を用い、金融商品から創出された収益（仮想通貨）を物理的環境の制約なしに、いつでもどこでも、汎用的に決済に用いることができるので、取引の便宜性を支援するとともに、保安性を強化した金融取引を提供することができる。
【００１１】
また、他派生商品取引に比べて、取引方法が容易であり、取引時、時間的・空間的制約がなく、また、確実なリスクと収益の予測が可能な高収益を保障することができる。
【図面の簡単な説明】
【００１２】
【図１】図１は、本発明による仮想通貨を用いる実時間予測基盤の金融取引システムの全体構成を示すブロックダイアグラムである。
【図２】図２は、本発明による仮想通貨を用いる実時間予測基盤の金融取引システムにおけるユーザーインターフェースの構成を示すダイアグラムである。
【図３】図３は、本発明による仮想通貨を用いる実時間予測基盤の金融取引システムにおけるユーザーインターフェースの構成を示すダイアグラムである。
【図４】図４は、本発明による仮想通貨を用いる実時間予測基盤の金融取引システムにおけるユーザーインターフェースの構成を示すダイアグラムである。
【図５】図５は、本発明による仮想通貨を用いる実時間予測基盤の金融取引手続きを説明するためのフローチャートである。
【発明を実施するための形態】
【００１３】
本発明の他の目的、特徴、及び利点は、添付した図面を参照した実施例の詳細な説明から明らかになるだろう。
【００１４】
以下、添付した図面を参照して、本発明による実施例の構成と、その作用について説明し、図示され、またこれにより説明される本発明の構成と作用は、少なくとも一つの実施例として説明されるものであり、これにより、上記した本発明の技術的思想と、その核心構成、及び作用が制限されるものではない。
【００１５】
以下、添付した図面を参照して、本発明による仮想通貨を用いる実時間予測基盤の金融取引システムの好適な実施例について詳述する。
【００１６】
本発明の説明における「設定」の動作は、システムにおいて使用者の選択や入力により定められる過程を意味する。
【００１７】
また、本発明におけるサービスセンターは、通信網を介して接続された使用者に、仮想通貨を用いる実時間予測基盤の金融取引サービスを提供する一つのサーバーであってもよく、サービスセンターを構成する多数のサーバーは、指定された機能を行うためにサーバーを構成するエンジンとして理解されてもよい。特に、通信網を介してサービスセンターに接続する使用者は、サービスセンターからサービスの提供を受けるために加入された使用者端末と理解されてもよい。
【００１８】
図１は、本発明による仮想通貨を用いる実時間予測基盤の金融取引システムの全体構成を示すブロックダイアグラムである。
【００１９】
図１の構成において、サービスセンター２０と実時間でデータを交換する金融機関サーバー３０は、金融取引により多様に変更可能である。また、金融機関サーバー３０は、金融取引のために認証された機関のサーバーであることが好ましい。
【００２０】
図１に示すように、本発明のシステムは、使用者端末１０と、サービスセンター２０と、金融機関サーバー３０と、から構成される。
【００２１】
使用者端末１０は、サービスセンター２０から提供する予測取引のためのユーザーアプリケーションを有し、そのユーザーアプリケーションは、図２乃至図４に示すように、多数の金融商品の掲示、取引種目の選択、商品取引経過の確認、使用者勘定口座の管理、商品取引及び決済内訳の管理、また入金及び出金の管理等のためのユーザーインターフェースを提供する。
【００２２】
使用者端末１０は、仮想通貨を保管するための口座アプリケーションを有する。ここで、仮想通貨は、多数の仮想通貨ブロックから構成され、多数の仮想通貨ブロックの合計が一つの仮想通貨に該当する。また、仮想通貨ブロックの財貨価値は、後述する暗号化キー値により定義される。
【００２３】
サービスセンター２０は、データベース２１、中継サーバー２２、データベースサーバー２３、トレーダーサーバー２４、また取引管理サーバー２５から構成される。
【００２４】
サービスセンター２０は、商品取引を申請した使用者の口座アプリケーションを使用者端末１０に設置し、商品取引の結果に基づき、その口座アプリケーションに保管される仮想通貨ブロックの財貨価値を更新する。
【００２５】
より詳しくは、サービスセンター２０は、使用者が商品取引を申請することにより、口座アプリケーションを使用者端末１０に設置する。
【００２６】
経時により指数が変動する多数の金融商品のいずれか一つが使用者により選択されることにより、サービスセンター２０は、その選択された金融商品を取引種目と設定する。以降、サービスセンター２０は、取引種目の経時による指数変動に基づき、口座アプリケーションに保管された仮想通貨ブロックを差引きまたは増加させる商品取引を実施する。
【００２７】
サービスセンター２０は、ユーザーインターフェースを介して商品取引を支援するためのユーザーアプリケーションを提供する。そのユーザーアプリケーションは、使用者がサービスセンター２０に加入されたとき、使用者端末１０にダウンロードされ、使用者端末１０に設置され、商品取引のためのユーザーインターフェースを提供する。
【００２８】
ユーザーアプリケーションは、使用者端末１０において実行されることにより、多数の金融商品を掲示し、多数の金融商品のうち、取引種目を選択するための第１の領域（以下、取引対象選択領域）４０と、商品取引の開始時点から終了時点までの取引種目の指数変動状態を、実時間で掲示する第２の領域（以下、指数変動提供領域）５０と、取引種目に対する投資分の入力と、取引種目に対する予測値を選択するための第３の領域（以下、投資分選択及び指数予測領域）６０と、商品取引による取引内訳及び決済内訳を掲示する第４の領域（以下、使用者内訳提供領域）７０と、を含む。前記投資分選択及び指数予測領域６０は、商品取引の開始のためのボタン領域を含み、商品取引の終了時点において、取引種目の予測成功の可否を掲示することができる。
【００２９】
サービスセンター２０は、金融取引のためのサービスを、使用者端末１０のユーザーインターフェースから提供され、実時間予測に基づいて取り引きされる金融商品として、株式、外国為替取引、先物、債券、金や銀のような財貨代替資源等を掲示する。特に、サービスセンター２０は、経時により指数が変動する多数の金融商品の商品取引を提供する。
【００３０】
中継サーバー２２は、金融機関サーバー３０と連携し、実時間で各金融商品の指数変動データを受信する。中継サーバー２２は、サービスセンター２０の商品取引において、基準として用いられる取引種目の指数変動データを、認証された機関のサーバーである金融機関サーバー３０から実時間で受信する。このような中継サーバー２２は、サービスセンター２０の構成要素として具現され、または、中継サーバー２２は、サービスセンター２０と独立して構成され、そのサービスセンター２０と通信網を介して連結されてもよい。
【００３１】
サービスセンター２０は、経時により指数が変動する多数の金融商品のいずれか一つを取引種目と設定し、前記取引種目の経時による指数変動に基づき、口座アプリケーションに保管された仮想通貨ブロックを差引きまたは増加させる商品取引を行い、前記商品取引による取引内訳を記録する。
【００３２】
このために、サービスセンター２０は、口座アプリケーションを使用者端末１０に設置させ、また、口座アプリケーションに保管される仮想通貨ブロックを更新して差引きまたは増加させる第１のサーバー（以下、取引管理サーバー）２５と、前記口座アプリケーションに保管された仮想通貨ブロックの少なくとも一つを商品取引の投資分と設定し、当該商品取引を行う第２のサーバー（以下、トレーダーサーバー）２４と、前記商品取引の結果による前記仮想通貨ブロックの変動内訳を含む取引内訳を、データベース２１に保存して管理する第３のサーバー（以下、データベースサーバー）２３と、から構成される。
【００３３】
取引管理サーバー２５は、口座アプリケーションを生成し、使用者端末１０に設置させる。これにより、使用者により購入した仮想通貨ブロックが、その口座アプリケーションに保管される。ここで、仮想通貨ブロックを口座アプリケーションに保管する方式は、口座アプリケーションを生成及び設置するとき、１対の暗号化キーをさらに生成し、使用者端末１０に提供する。使用者端末１０は、口座アプリケーションと連動する１対の暗号化キーを保存する。より好ましくは、取引管理サーバー２５は、使用者端末１０に口座アプリケーションを設置させるとともに、その使用者端末１０に１対の暗号化キーを保存させる。取引管理サーバー２５が生成する１対の暗号化キーは、使用者端末１０に設置された口座アプリケーションにより更新され、仮想通貨の財貨価値を仮想通貨ブロック単位に変更する手段として用いられる。
【００３４】
取引管理サーバー２５は、１対の暗号化キーのいずれか一方を使用者端末１０に個人キーとして保存し、他方を公開キーとして保存する。
【００３５】
また、取引管理サーバー２５は、個人キーをハッシングし、ユーザー識別子を生成し、その生成されたユーザー識別子を使用者端末１０に保存する。ここで、ユーザー識別子は、口座アプリケーションを設置するときに１回生成し、トレーダーサーバー２４による商品取引時毎に再使用されてもよい。または、取引管理サーバー２５は、トレーダーサーバー２４による商品取引が実施される度に、新たなユーザー識別子を生成し、使用者端末１０に保存させてもよい。
【００３６】
若し、上述した商品取引以外に、口座アプリケーションに保管された仮想通貨ブロックに対する出金または決済が要請されると、サービスセンター２０は、ユーザーが予め登録した識別子のアドレス（Ｒｅｃｅｉｖｉｎｇ  Ａｄｄｒｅｓｓ）、または使用者が提供する識別子のアドレスに、要請された仮想通貨ブロックを伝送させてもよい。出金または決済以降は、使用者端末１０の口座アプリケーションに保管された仮想通貨ブロックを差し引く。ここで、仮想通貨ブロックの伝送は、振替の概念として理解されてもよい。
【００３７】
取引管理サーバー２５が生成させた１対の暗号化キーは、口座アプリケーションに保管される仮想通貨ブロックの量を示し、これにより、口座アプリケーションにおいて暗号化キーが更新されるとともに、仮想通貨ブロックの財貨価値が変更される。
【００３８】
口座アプリケーションに保管される仮想通貨ブロックは、トレーダーサーバー２４による商品取引の結果により、差引きまたは増加される変動内訳を含んでもよいが、これは、１対の暗号化キーが、その変動内訳を定義するものと理解されてもよい。
【００３９】
仮想通貨ブロックは、ハッシュ関数値として口座アプリケーションに保管され、ハッシュ関数値が更新されながら、仮想通貨ブロックの財貨価値が変動される。詳しくは、以前の商品取引の結果によるハッシュ関数値を現在の商品取引の結果による新たなハッシュ関数値に更新し、仮想通貨ブロックを差引きまたは増加させる。
【００４０】
トレーダーサーバー２４は、使用者端末１０に、上述した多数の領域を含むユーザーインターフェースを提供し、そのユーザーインターフェースを介してサービス可能な金融商品のいずれか一つに対して商品取引を行う。
【００４１】
トレーダーサーバー２４は、口座アプリケーションに保管された仮想通貨ブロックの少なくとも一つを、商品取引の投資分と設定する。投資分の設定は、使用者の選択によるものである。次いで、トレーダーサーバー２４は、使用者の入力及び選択により、取引種目に対する指数変動方向の予測値を設定した状態で商品取引を開始し、前記商品取引に対して、既設定された終了時点において、前記取引種目の指数変動方向に対する予測成功の可否を決定する。
【００４２】
トレーダーサーバー２４で決定された取引種目の指数変動方向に対する予測成功の可否に基づき、取引管理サーバー２５は、口座アプリケーションに保管された仮想通貨ブロックを更新する。仮想通貨ブロックの更新を通じて、商品取引による投資分に該当する価値の分だけ、仮想通貨ブロックを差引きまたは増加させる。
【００４３】
トレーダーサーバー２４は、使用者端末１０に保存された個人キーを用い、使用者が電子署名したときに投資分を設定する。このとき、トレーダーサーバー２４は、公開キーを用い、電子署名した使用者に対する検証を行う。トレーダーサーバー２４は、使用者に対する検証が成功したときに投資分の資格を付与する。すなわち、トレーダーサーバー２４は、電子署名を通じて使用者に対する検証を行い、その検証が成功したとき、商品取引のために設定された投資分の資格を付与し、商品取引の有効な投資分と設定する。
【００４４】
トレーダーサーバー２４は、金融商品の取引を実時間で行う構成であり、一つの収益性を保障し、経時により指数が変動する多数の金融商品に対する商品取引を提供する。トレーダーサーバー２４は、取引対象選択領域４０から選択された特定の取引種目に対して、一定の時点を基準として、定められた時間が経過したとき、その選択された取引種目の指数の上昇または下降の可否を予測した結果を提供する。
【００４５】
トレーダーサーバー２４は、下記に述べる基準により、該当する選択された取引種目の指数変動方向に対して予測成功の可否を決定する。
【００４６】
第一、投資分選択及び指数予測領域６０を通じた使用者の選択により設定された前記予測値が、選択された取引種目の指数上昇を予測した値であり、商品取引を開始する時点の取引種目に対する指数を基準として、終了時点において取引種目の指数が上昇した方向に変動した状態であれば、該当する取引種目の指数変動方向に対して予測が成功したものと決定する。
【００４７】
第二、投資分選択及び指数予測領域６０を通じた使用者の選択により設定された前記予測値が、選択された取引種目の指数下降を予測した値であり、商品取引を開始する時点の取引種目に対する指数を基準として、終了時点において取引種目の指数が下降した方向に変動した状態であれば、該当する取引種目の指数変動方向に対して予測が成功したものと決定する。
【００４８】
第三、投資分選択及び指数予測領域６０を通じた使用者の選択により設定された前記予測値が、選択された取引種目の指数上昇を予測した値であり、商品取引を開始する時点の取引種目に対する指数を基準として、終了時点において取引種目の指数が下降した方向に変動した状態であれば、該当する取引種目の指数変動方向に対して予測が失敗したものと決定する。
【００４９】
第四、投資分選択及び指数予測領域６０を通じた使用者の選択により設定された前記予測値が、選択された取引種目の指数下降を予測した値であり、商品取引を開始する時点の取引種目に対する指数を基準として、終了時点において取引種目の指数が上昇した方向に変動した状態であれば、該当する取引種目の指数変動方向に対して予測が失敗したものと決定する。
【００５０】
トレーダーサーバー２４が、取引種目の指数変動方向に対して予測を成功したものと決定すると、取引管理サーバー２５は、使用者端末１０に保存された暗号化キー（個人キー）値を更新し、口座アプリケーションに保管された仮想通貨ブロックを、入力された投資分だけ増加させる。これに対して、取引種目の指数変動方向に対して予測が失敗したものと決定すると、取引管理サーバー２５は、使用者端末１０に保存された暗号化キー（個人キー）値を更新し、口座アプリケーションに保管された仮想通貨ブロックを、入力された投資分だけ差し引く。
【００５１】
トレーダーサーバー２４において、前記商品取引の開始時点の前記取引種目に対する指数と、前記終了時点における前記取引種目の指数とが同一である場合、すなわち、取引種目の指数変動方向に対する予測が、成功でも失敗でもないドロウ（ｄｒａｗ）と決定されると、取引管理サーバー２５は、口座アプリケーションに保管された仮想通貨ブロックの価値をそのまま維持させる。すなわち、仮想通貨ブロックの価値を定義する暗号化キー値を更新しない。
【００５２】
一方、トレーダーサーバー２４は、指数変動提供領域５０を通じて、現在取引中の取引種目の指数変動状態を実時間で掲示する。すなわち、トレーダーサーバー２４は、中継サーバー２５を介して実時間で受信される指数変動データを用い、商品取引の開始時点から終了時点までの該当する取引種目の指数変動状態を実時間で提供する。
【００５３】
このように、本発明によるシステムは、商品取引申請により設置された口座アプリケーションに仮想通貨ブロックを保管させ、その仮想通貨ブロックの財貨価値の一部を投資分として許容しながら、現在、存在する金融商品の指数の変動を基準として、その指数の実時間基盤予測を通じて、収益を提供するシステムである。
【００５４】
データベースサーバー２３は、トレーダーサーバー２４を通じて行われた商品取引の結果により、取引管理サーバー２５を通じて更新される使用者別の仮想通貨ブロックの変動内訳と、口座アプリケーションの仮想通貨ブロックを用いた決済による使用者別の仮想通貨ブロックの変動内訳とを更新し、使用者別の商品取引内訳及び決済内訳を保存して管理する。また、データベースサーバー２３は、中継サーバー２２を介して受信された実時間指数データを保存しながら、実時間でアップデートし、使用者端末１０を介してアクセスする使用者の勘定口座を保存する。
【００５５】
図２乃至図４は、本発明による仮想通貨を用いる実時間予測基盤の金融取引システムにおけるユーザーインターフェースの構成を示すダイアグラムであって、サービスセンター２０は、サービスに加入された使用者の専用端末、すなわち、使用者端末１０に、図２乃至図４に示したユーザーインターフェースを提供するユーザーアプリケーションをダウンロードして設置させる。
【００５６】
サービスセンター２０は、そのユーザーアプリケーションの実行後、当該使用者の加入情報を用いて認証されると、図２乃至図４のユーザーインターフェースを介して商品取引及び情報管理を支援する。
【００５７】
本発明によるシステムを通じて取引可能な金融商品としては、小麦、砂糖、トウモロコシ、コーヒー、原油、白金、銀、金等のような財貨代替商品を含み、各国別の金融指数や各企業別の株式指数（指数）を含み、通用する貨幣の為替相場（外国為替）を含む。
【００５８】
ユーザーインターフェースは、使用者が上記に述べた多数の商品のいずれか一つを取引種目として選択し、取引を進行するように、取引対象選択領域４０を有する。
【００５９】
ユーザーインターフェースは、取引対象選択領域４０を通じて選択した取引種目の実時間指数変動状況を提供する指数変動提供領域５０を有する。指数変動提供領域５０から提供される実時間指数変動状況は、金融機関サーバー３０から提供される指数変動データに基づく。ここで、指数変動提供領域５０は、選択した取引種目が、現時点においてどんな方向に、すなわち、上昇方向または下降方向に変動するかを掲示することができ、特に、当該取引種目に対する取引終了時点において、予測成功の可否を成功（ｗｉｎ）、失敗（ｌｏｓｔ）、またはドロウ（ｄｒａｗ）として掲示することもできる。
【００６０】
ユーザーインターフェースは、選択した取引種目の実時間指数変動状況を基準とするとともに、指定された時間に上昇（ＵＰ）または下降（ＤＯＷＮ）の予測値を選択し、また、商品取引の投資分を入力するための投資分選択及び指数予測領域６０を有する。ここで、（ＵＰ）または下降（ＤＯＷＮ）の予測値を選択することにより、取引対象選択領域４０を通じて選択された取引種目に対する商品取引が開始される。
【００６１】
ユーザーインターフェースにおいて、使用者内訳提供領域７０は、サービスセンター２０から商品取引をサービスされる使用者と、多数の他使用者に対する収益順位と、サービスセンター２０から商品取引をサービスされる全ての使用者に対する収益順位と、取引及び決済内訳とを掲示する。
【００６２】
使用者内訳提供領域７０を通じて掲示される項目は、使用者の個人情報、収益順位（ｏｒｄｅｒ）、取引商品（ｐｒｏｄｕｃｔ）、選択した予測値（ＵＰまたはＤＯＷＮ）、時間等を含む取引情報、また商品取引の結果による仮想通貨ブロックの変更状態を含んでもよい。また、口座アプリケーションの仮想通貨ブロックを用いた決済処理の結果、すなわち、決済日時、識別子（Ｔｒａｎｓａｃｔｉｏｎ  ＩＤ）、識別子のアドレス（Ｒｅｃｅｉｖｉｎｇ  Ａｄｄｒｅｓｓ）、決済結果（Ｓｔａｔｕｓ）を含む決済情報を含んでもよい。
【００６３】
ユーザーインターフェースの使用者内訳提供領域７０は、使用者別勘定口座の管理、収益の累積、及び出金内訳、また商品取引内訳と決済内訳を管理し、情報を掲示することができる。
【００６４】
本発明のシステムは、図２に示した取引対象選択領域４０において、多数の商品のいずれか一つが取引種目として選択されることにより、その選択された取引種目を商品取引対象と設定する。ここで、掲示される多数の金融商品は、経時により指数が変動し、各金融商品に対する指数変動は、認証された機関から実時間で処理されることが好ましい。
【００６５】
本発明のシステムは、取引種目に対する投資分が、投資分選択及び指数予測領域６０の記入欄６１から入力されることにより、その入力された投資分を設定する。ここで、投資分が有効な資格を獲得するために、使用者の電子署名による検証を経る。
【００６６】
また、本発明のシステムは、図２に示した投資分選択及び指数予測領域６０において、商品取引の開始時点に上昇（ＵＰ）または下降（ＤＯＷＮ）を選択するためのコントロールボタン６２、６３を通じて指数方向が選択されることにより、その選択された指数方向を商品取引時の予測値と設定し、当該取引種目に対する商品取引を開始する。このとき、投資分選択及び指数予測領域６０は、開始時点に該当する取引種目の現在指数を掲示し、指数変動提供領域５０は、開始時点から終了時点までの経時による変動状態を掲示する。
【００６７】
本発明のシステムにおいて、取引種目に対する商品取引が開始されることにより、指数変動提供領域５０は、取引種目の開始時間、終了時間と、開始時点での指数、現時点での指数を掲示する。また、商品取引の終了時点において、指数方向予測に対する成功の可否を、成功（ｗｉｎ）、失敗（ｌｏｓｔ）、ドロウ（ｄｒａｗ）として掲示することができる。
【００６８】
前記指数変動提供領域５０を通じて商品取引の成功可否が掲示されると、当該商品取引を終了する。
【００６９】
使用者内訳提供領域７０は、現在、口座アプリケーションに保管された仮想通貨ブロックに対する多様な内訳を掲示する。
【００７０】
また、使用者内訳提供領域７０を通じて、仮想通貨ブロックに対する使用者の出金または決済要請と、それによる処理を進行する。すなわち、使用者内訳提供領域７０において、使用者の出金額または決済額が入力されることにより、システムは、その出金額または決済額に相応の仮想通貨ブロックを更新しその価値を差し引く。また、該当する出金額が使用者の登録口座に振り替えてもよい。
【００７１】
また、使用者内訳提供領域７０において、使用者の入金要請と、それによる処理を進行してもよい。
【００７２】
本発明のシステムは、使用者内訳提供領域７０において、特定期間の間、処理された使用者別の商品取引内訳が要請されることにより、使用者内訳提供領域７０を通じて該当する商品取引内訳を掲示する。商品取引内訳は、各商品取引別の投資分、取引種目、使用者により予測された指数方向、商品取引日付及び期間、商品取引の開始時点の指数、商品取引の終了時点の指数、仮想通貨ブロックの出金や決済内訳等が含まれる。
【００７３】
図５は、本発明による仮想通貨を用いる実時間予測基盤の金融取引手続きを説明するためのフローチャートであって、トレーダーサーバー２４と取引管理サーバー２５により行われる金融取引及び支給手続きを示すものである。
【００７４】
図５を参照すると、トレーダーサーバー２４は、経時により指数が変動する多数の金融商品のいずれか一つを取引種目と設定し、口座アプリケーションの仮想通貨ブロックを用い、取引種目の投資分を設定する（Ｓ１００）。ここで、取引種目設定及び投資分設定は、使用者の選択及び入力により行われ、投資分の有効性を検証するための使用者の電子署名を行う。
【００７５】
次いで、トレーダーサーバー２４は、設定された取引種目に対する指数変更方向の予測値を設定する（Ｓ１１０）。このとき、予測値は、使用者により設定された取引種目の指数上昇または下降のいずれか一つを選択した結果により設定される。
【００７６】
次いで、トレーダーサーバー２４は、使用者の選択及び入力により、取引種目に対する指数変動方向の予測値を設定した状態で、商品取引を開始し（Ｓ１２０）、商品取引の開始時点から終了時点までタイマーをカウントする（Ｓ１３０）。ここで、開始時点から終了時点までの取引期間は、秒単位、分単位、時単位等、多様に設定してもよい。例えば、前記取引期間が６０秒と設定された場合、タイマーは、６０秒後に終了し、これにより商品取引が終了する。
【００７７】
次いで、トレーダーサーバー２４は、取引期間の終了時点に設定された取引種目に対する指数変動をチェックする（Ｓ１４０）。ここで、指数変動のチェックは、取引種目の開始時点での指数を基準として、前記終了時点において指数が上昇または下降するかをチェックする。
【００７８】
次いで、トレーダーサーバー２４は、指数変動チェックの結果に基づき、既設定された指数変動に対する予測の成功可否を確認する（Ｓ１５０）。指数変動予測に対する成功可否の決定については上述したので、これについての詳細を省略する。
【００７９】
次いで、トレーダーサーバー２４において予測成功の可否が決定されることにより、取引管理サーバー２５は、仮想通貨ブロックの増加のための暗号化キーを更新し、または予測失敗による仮想通貨ブロックの差引きのための暗号化キーを更新する（Ｓ１６０、Ｓ１７０）。すなわち、予測成功時は、仮想通貨ブロックを投資分だけ増加させ、予測失敗時は、仮想通貨ブロックから投資分だけを差し引く。
【００８０】
以上、本発明の好適な実施例について説明したが、本発明の属する技術の分野における通常の知識を有する者であれば、本発明の本質的な特性を逸脱しない範囲内において変形された形態に具現され得る。
【００８１】
このため、ここで説明した本発明の実施例は、限定的な観点ではなく、説明的な観点で考慮されなければならず、本発明の範囲は、上述した説明ではなく、特許請求の範囲に開示されており、それと同等の範囲内における全ての差異は、本発明に含まれるものと解釈されなければならない。
【符号の説明】
【００８２】
１０    使用者端末
２０    サービスセンター
２１    データベース
２２    中継サーバー
２３    データベースサーバー
２４    トレーダーサーバー
２５    取引管理サーバー
３０    金融機関サーバー
【手続補正２】
【補正対象書類名】特許請求の範囲
【補正対象項目名】全文
【補正方法】変更
【補正の内容】
【特許請求の範囲】
【請求項１】
通信網を介して接続された使用者に、仮想通貨を用いる実時間予測基盤の金融取引サービスを提供するシステムにおいて、
仮想通貨を構成する仮想通貨ブロックを保管するための口座アプリケーションを有する使用者端末と、
使用者が商品取引を申請することにより、前記口座アプリケーションを前記使用者端末に設置させ、時間により指数が変動する多数の金融商品のいずれか一つを前記使用者の選択により取引種目として設定した後、前記取引種目の時間による指数変動に基づき、前記口座アプリケーションに保管された仮想通貨ブロックを差引きまたは増加させる商品取引を行うサービスセンターと、
前記商品取引の基準として用いられる前記取引種目の指数変動データを認証済み機関から実時間で受信する中継サーバーと、を備え、
前記サービスセンターは、
前記口座アプリケーションを使用者端末に設置するときに１対の暗号化キーを生成し、前記商品取引の結果により、前記口座アプリケーションに保管された仮想通貨ブロックを差引きまたは増加させる第１のサーバーと、
前記口座アプリケーションに保管された仮想通貨ブロックの少なくとも一つを、前記商品取引の投資分として設定し、前記取引種目に対する指数変動方向の予測値を設定した状態で前記商品取引を開始し、前記商品取引に対して既設定された終了時点において、前記取引種目の指数変動方向に対する予測成功の可否を決定する第２のサーバーと、を有し、
前記第１のサーバーは、
前記第２のサーバーにおいて決定される予測成功の可否により、前記口座アプリケーションに保管された仮想通貨ブロックから前記投資分だけ差し引くか、または前記口座アプリケーションに保管された仮想通貨ブロックに前記投資分だけ増加させることを特徴とする、仮想通貨を用いる実時間予測基盤の金融取引システム。
【請求項２】
前記第１のサーバーは、
前記使用者端末に前記口座アプリケーションを設置するとともに、前記使用者端末に前記１対の暗号化キーの一方を個人キーとして保存し、前記１対の暗号化キーの他方を公開キーとして保存することを特徴とする請求項１に記載の仮想通貨を用いる実時間予測基盤の金融取引システム。
【請求項３】
前記第１のサーバーは、
前記個人キーをハッシングしてユーザー識別子を生成し、前記生成されたユーザー識別子を前記使用者端末に保存することを特徴とする請求項２に記載の仮想通貨を用いる実時間予測基盤の金融取引システム。
【請求項４】
前記第２のサーバーは、
前記使用者が前記使用者端末に保存された前記個人キーを用いる電子書名を通じて、前記商品取引の投資分を設定するとき、前記公開キーを用い前記使用者に対する検証を予め行い、前記使用者に対する検証が成功したとき、前記投資分の資格を付与することを特徴とする請求項２に記載の仮想通貨を用いる実時間予測基盤の金融取引システム。
【請求項５】
前記第２のサーバーは、
前記使用者の選択により設定された前記予測値が前記指数の上昇を予測した値であり、前記商品取引を開始する時点の前記取引種目に対する指数を基準として、前記終了時点において前記取引種目の指数が上昇した方向に変動した状態であれば、前記取引種目の指数変動方向に対して予測が成功したものと判断し、
前記使用者の選択により設定された前記予測値が、前記指数の下降を予測した値であり、前記商品取引を開始する時点の前記取引種目に対する指数を基準として、前記終了時点において前記取引種目の指数が下降した方向に変動した状態であれば、前記取引種目の指数変動方向に対して予測が成功したものと判断し、
前記使用者の選択により設定された前記予測値が、前記指数の上昇を予測した値であり、前記商品取引を開始する時点の前記取引種目に対する指数を基準として、前記終了時点において前記取引種目の指数が下降した方向に変動した状態であれば、前記取引種目の指数変動方向に対して予測が失敗したものと判断し、
前記使用者の選択により設定された前記予測値が、前記指数の下降を予測した値であり、前記商品取引を開始する時点の前記取引種目に対する指数を基準として、前記終了時点において前記取引種目の指数が上昇した方向に変動した状態であれば、前記取引種目の指数変動方向に対して予測が失敗したものと判断することを特徴とする請求項１に記載の仮想通貨を用いる実時間予測基盤の金融取引システム。
【請求項６】
前記第１のサーバーは、
前記取引種目の指数変動方向に対して予測が成功した場合、前記口座アプリケーションに保管された仮想通貨ブロックに前記投資分だけ増加させ、
前記取引種目の指数変動方向に対して予測が失敗した場合、前記口座アプリケーションに保管された仮想通貨ブロックから前記投資分だけ差し引くことを特徴とする請求項５に記載の仮想通貨を用いる実時間予測基盤の金融取引システム。
【請求項７】
前記第２のサーバーは、
前記中継サーバーを介して実時間で受信される前記指数変動データを用い、前記商品取引の開始時点から前記終了時点まで、前記取引種目の指数変動状態を実時間で提供することを特徴とする請求項１に記載の仮想通貨を用いる実時間予測基盤の金融取引システム。
【請求項８】
前記口座アプリケーションに保管される仮想通貨ブロックは、前記商品取引の結果により差引きまたは増加される変動内訳を含むことを特徴とする請求項１に記載の仮想通貨を用いる実時間予測基盤の金融取引システム。
【請求項９】
前記仮想通貨ブロックは、ハッシュ関数値として前記口座アプリケーションに保管され、以前の商品取引の結果によるハッシュ関数値を、現在の商品取引の結果による新たなハッシュ関数値に更新し、前記仮想通貨ブロックを差引きまたは増加させることを特徴とする請求項８に記載の仮想通貨を用いる実時間予測基盤の金融取引システム。
【請求項１０】
前記サービスセンターは、
前記商品取引をユーザーインターフェースにより提供するためのユーザーアプリケーションを提供し、
前記ユーザーアプリケーションが前記使用者端末において実行されることによるユーザーインターフェースは、前記多数の金融商品のうち、前記取引種目の選択のための第１の領域と、前記商品取引の開始時点から前記終了時点まで前記取引種目の指数変動状態を実時間で掲示する第２の領域と、前記投資分の設定と前記予測値の選択のための第３の領域と、前記取引内訳を掲示する第４の領域と、を含むことを特徴とする請求項１に記載の仮想通貨を用いる実時間予測基盤の金融取引システム。
【請求項１１】
前記第３の領域は、
前記商品取引の開始のためのボタン領域を含み、前記終了時点において、前記取引種目の前記予測成功の可否を掲示することを特徴とする請求項９に記載の仮想通貨を用いる実時間予測基盤の金融取引システム。